(57)【要約】      （修正有）【課題】製造工程や部材コストを軽減し、輸送時や販売の際のスペースを削減するとともに、使用後の容器の再利用を可能にした食品用容器を提供すること。【解決手段】上部に開口部を有する容器本体２と、容器本体２内に収容される食材ａとで構成される食品用容器において、容器本体２内に、空間部ｄを有する状態でフィルム１０を配設させたことを特徴とする。またフィルム１０は、食材ａの上部であって、容器本体２の側面部の内周や開口部に接着されている。【選択図】図３
2015231867.tif 000002
【特許請求の範囲】
【請求項１】
上部に開口部を有する容器本体と、該容器本体内に収容される食材とで構成される食品用容器において、前記容器本体内に、空間部を有する状態でフィルムを配設させたことを特徴とする食品用容器。
【請求項２】
前記フィルムは、食材の上部であって、容器本体の側面部内周に接着されている請求項１記載の食品用容器。
【請求項３】
前記フィルムは、容器本体の開口部周囲に接着されている請求項１記載の食品用容器。
【請求項４】
前記容器本体内に、食材の上部に配設される中蓋材を配置させた請求項１記載の食品用容器。
【請求項５】
前記容器本体内に収容される食材は納豆である請求項１乃至４のうちいずれか１項に記載の食品用容器。
【請求項６】
前記容器本体内に収容される食材は麺類である請求項１乃至４のうちいずれか１項に記載の食品用容器。
【請求項７】
前記容器本体を複数積層させた請求項１乃至６のうちいずれか１項に記載の食品用容器。
【発明の詳細な説明】
【技術分野】
【０００１】  本発明は、輸送や販売の際のスペースを削減するとともに、使用後の容器の再利用を可能にする食品用容器に関する。
【背景技術】
【０００２】  従来より、発泡ポリスチレン樹脂を使用した使い捨ての食品容器が広く使用されている。かかる食品容器は軽量で安価であることから、納豆やカップ麺等に幅広く用いられている。
【先行技術文献】
【特許文献】
【０００３】  また、上記容器を使用した関連技術として、納豆などの食品をより効率よく掻き混ぜることができる食品容器がある（例えば特許文献１参照）。
上掲特許文献１の掻き混ぜ容易な食品容器は、底壁部及び該底壁部の外縁に立設された筒状の周壁部を有する食品容器であって、前記底壁部の内面における少なくとも一部には、複数の凹凸面が区画されていることを特徴とする。
【特許文献１】  特開２０１０−２２８７７７号公報
【発明の概要】
【発明が解決しようとする課題】
【０００４】  しかしながら、上掲特許文献１の掻き混ぜ容易な食品容器は、軽量で安価である一方で、搬送や販売の際に嵩張るという問題が生じた。また、掻き混ぜ後の容器は単に廃棄されるため、使用後の容器を再利用することはできなかった。【０００５】  そこで本発明は上記の点に鑑み、製造工程や部材コストを軽減し、輸送時や販売の際のスペースを削減するとともに、使用後の容器の再利用を可能にした食品用容器を提供することにある。
【解決を解決するための手段】
【０００６】  上記課題を解決するため、上部に開口部を有する容器本体と、該容器本体内に収容される食材とで構成される食品用容器において、前記容器本体内に、空間部を有する状態でフィルムを配設させたことを特徴とする。
【０００７】  また前記フィルムは、食材の上部であって、容器本体の側面部内周に接着されている。
【０００８】  また前記フィルムは、容器本体の開口部周囲に接着されている。
【０００９】  また前記容器本体内に、食材の上部に配設される中蓋材を配置させた。
【００１０】  また、前記容器本体内に収容される食材は納豆であることが好ましい。
【００１１】  また、前記容器本体内に収容される食材は麺類であることが好ましい。
【００１２】  さらに、前記容器本体を複数積層させることができる。
【発明の効果】
【００１３】  容器本体内に、空間部を有する状態でフィルムを配設させたことにより、容器本体内にスペースが形成され、かかるスペースに他の容器を積み重ねることで、全体を小形に形成することが可能となる。そのため、輸送時や販売の際のスペースを削減することができる。
【００１４】  また、容器本体内に収容される食材を納豆とすることで、納豆を掻き混ぜた後、容器内にご飯を入れることができ、茶碗を汚すことなく納豆を食べることができる。
【図面の簡単な説明】
【００１５】
【図１】本発明の食品用容器の分解状態の斜視図である。
【図２】前記食品用容器の全体斜視図である。
【図３】前記食品用容器の断面図である。
【図４】他の好適例、本発明の食品用容器の断面図である。
【図５】その他の好適例、本発明の食品用容器の断面図である。
【図６】その他の好適例、本発明の食品用容器の断面図である。
【図７】その他の好適例、本発明の食品用容器の断面図である。
【図８】本発明の食品用容器を積層した状態の断面図である。
【図９】本発明の食品用容器の使用状態である。
【図１０】他の好適例、本発明の食品用容器の断面図である。
【図１１】前記食品用容器を積層した状態の断面図である。
【発明を実施するための形態】
【００１６】  本発明の食品用容器は、製造工程や部材コストを軽減し、輸送時や販売の際のスペースを削減するとともに、使用後の容器の再利用を可能にしたことを特徴とするものである。
以下、本発明の食品用容器における実施の形態を図面に基づいて説明する。
【００１７】  図１及び図２に示す食品用容器１は、底面部４と、底面部４から立設した側面部５と、側面部５の上部に形成された開口部３を有する容器本体２とからなる。また前記食品用容器１は、軽量で安価である発泡ポリスチレン樹脂（ＰＳ）で成形されている。なお前記食品用容器１は、図中、茶碗状に形成されているがこれに限らず、円筒状、矩形状等さまざまな形状で形成することができる。
【００１８】  また前記食品用容器１には、食材の乾燥防止や衛生面を高めるためのフィルム１０が配設されている。かかるフィルム１０は薄膜状のフィルムであり、ポリエチレン樹脂（ＰＥ）にて形成されている。またフィルム１０は容器の開口部３よりやや大き目に形成されている。
【００１９】  容器本体２内には、食材ａが収容される。前記食材ａは様々なものを収容することができるが、図中においては納豆が収容されている。前記容器本体２内に食材ａを収容した状態でフィルム１０が配設される。
【００２０】  前記容器本体２内にフィルム１０を配設させることにより、図３に示すように、容器本体２内には空間部ｄが形成される。前記空間部ｄ内に他の容器を配置させることで、図８に示すように、複数の容器を嵩張らない状態で積層させることができる。そのことにより、輸送時や販売の際のスペースを削減することが可能になる。
【００２１】  また前記フィルム１０は、図４に示すように、食材ａの上部であって、容器本体２の側面部５の内周の接着部１１により接着されている。接着方法としては、身体に悪影響を与えることがない接着剤、スポット溶着、ヒートシール溶着等が用いられる。
【００２２】  また前記フィルム１０は、図５に示すように、容器本体２の開口部３の上面に接着部１２を形成することもできる。接着方法としては、身体に悪影響を与えることがない接着剤、スポット溶着、ヒートシール溶着等が用いられる。
【００２３】  また他の好適例として、図６に示すように、前記容器本体２内に、食材ａの上部に配設される中蓋材１３を配置させてもよい。前記中蓋材１３は、発泡ポリスチレン樹脂（ＰＳ）で一体成形して形成される。前記容器本体２内に中蓋材１３を配置させることにより、容器本体２内に空間部ｄを形成することができる。
【００２４】  また本発明の食品用容器においては、図７に示すように、フィルム１０の上部にタレ袋や辛子袋等の添加材ｂを配置させることもできる。
【００２５】  次に、本発明の食品用容器の使用方法を説明する。
先ず、容器本体２からフィルム１０と添加材ｂを取り外し、通常のように添加剤ｂを加えて食材ａ（納豆）を掻き混ぜる。納豆を掻き混ぜた後、空間部ｄにご飯ｃを入れる。
【００２６】  容器本体２にご飯を入れた後、通常のように納豆ご飯を食べる。食べた後、容器本体２内にフィルム１０とカラの添加材ｂを入れて廃棄処分する。そのことにより、使用後の茶碗を洗う手間と洗うための水道水の消費を省くことができる。
【００２７】  また他の好適例として、図１０に示すように、容器本体２内に麺類である食材ａを収容させることもできる。容器本体２内に麺類と添加材ｂを収容させ、容器本体２内に空間部ｄが形成される状態にフィルム１０を配設させる。
【００２８】  前記容器本体２内にフィルム１０を配設させ、空間部ｄ内に他の容器を配置させることで、図８に示すように、複数の容器を嵩張らない状態で積層させることができる。そのことにより、輸送時や販売の際のスペースを削減することが可能になる。
【符号の説明】
【００２９】１      食品用容器
２      容器本体
３      開口
４      底面部
５      側面部
１０    フィルム
１１    接着部
１２    接着部
１３    中蓋材
ａ      食材
ｂ      添加材
ｃ      ご飯
ｄ      空間部
【図１】
2015231867.tif 000003
【図２】
2015231867.tif 000004
【図３】
2015231867.tif 000005
【図４】
2015231867.tif 000006
【図５】
2015231867.tif 000007
【図６】
2015231867.tif 000008
【図７】
2015231867.tif 000009
【図８】
2015231867.tif 000010
【図９】
2015231867.tif 000011
【図１０】
2015231867.tif 000012
【図１１】
2015231867.tif 000013